(57)【要約】【課題】起立する支柱に比較的大きいサイズのサインボードを安定的に取り付けるのに適したサインボード取付具を提供すること。【解決手段】サインボード２０を起立するベルトパーティションスタンド１０（支柱構造体）に取り付けるためのサインボード取付具Ａ１であって、サインボード２０を支持する支持体３０と、支持体３０をベルトパーティションスタンド１０に係合支持させるための係合手段４０と、を備え、係合手段４０は、支持体３０および支柱構造体のうち、いずれか一方に設けられた突起１３２と、他方に設けられた凹部３２と、を含み、突起１３２および凹部３２は、上下方向にスライド可能に嵌合する。【選択図】図４
2018091120.tif 000002
【特許請求の範囲】
【請求項１】
サインボードを起立する支柱構造体に取り付けるためのサインボード取付具であって、
上記サインボードを支持する支持体と、
上記支持体を上記支柱構造体に係合支持させるための係合手段と、を備え、
上記係合手段は、上記支持体および上記支柱構造体のうち、いずれか一方に設けられた突起と、他方に設けられた凹部と、を含み、上記突起および上記凹部は互いに嵌合可能である、サインボード取付具。
【請求項２】
上記突起および上記凹部は、上下方向にスライド可能に嵌合する、請求項１に記載のサインボード取付具。
【請求項３】
上記支持体に上記凹部が設けられており、上記支柱構造体に上記突起が設けられている、請求項２に記載のサインボード取付具。
【請求項４】
上記支柱構造体は、床面に載置されるベースと、当該床面から起立する支柱本体と、当該支柱本体に連結されるベルト収納ヘッドとを含んで構成されたベルトパーティションスタンドであり、
上記突起は、上記ベルト収納ヘッドの外周に設けられたベルトエンド受け部により構成されており、横断面略Ｔ字状である、請求項３に記載のサインボード取付具。
【請求項５】
上記突起を有する係合部材を備え、
上記係合部材は、上記支柱構造体に着脱可能に取り付けられる、請求項３に記載のサインボード取付具。
【請求項６】
請求項１ないし５のいずれかに記載のサインボード取付具と、上記支持体に支持されるサインボードと、を備える、サインボード取付セット。
【請求項７】
上記サインボードは、プラスチックダンボール製の板材により構成される、請求項６に記載のサインボード取付セット。
【請求項８】
上記サインボードの周縁の少なくとも一部に装着されるチャンネル部材を備え、
上記支持体は、上記チャンネル部材が嵌入可能とされた上下に延びる凹溝を有する、請求項７に記載のサインボード取付セット。
【発明の詳細な説明】
【技術分野】
【０００１】
本発明は、たとえば床面上などにおいて起立する支柱にサインボードを取り付けるためのサインボード取付具に関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数設置し、ベルト収納ヘッドから繰り出したベルトの先端を他のベルトパーティションスタンドに係止する。このようにすることで、隣接するベルトパーティションスタンドの相互間にベルトが張設され、歩行者の通路規制などを行うことができる。
【０００３】
上述したベルトパーティションスタンドに告知等を目的とするサインボードを設ける場合がある。たとえば、特許文献２には、支柱の上端にサインボードを取り付ける例が記載されている（同文献の図１１参照）。支柱の上端にサインボードを取り付ける場合、バランスを欠いて支柱が転倒してしまったり、サインボードが通行の妨げとなったりすることが起こり得る。このような問題を回避する方策の一例として、特許文献３には、支柱自体をサインボードとして使用する例が記載されている。
【０００４】
しかしながら、支柱自体をサインボードとして使用する場合、表示範囲に制約が生じるとともに、サインボードに表示される内容を変更するのが困難であり、新しい告知内容を表示する必要がある場合にはベルトパーティションスタンドを買い替える必要が生じ得た。このため、支柱にサインボードを着脱可能とする構成が求められていたが、支柱の形状が製造メーカによって一定ではないことが障害となっていた。また、上記特許文献２，３に示した、支柱へのサインボードの取付構造においては、比較的大きいサイズのサインボードを取り付ける場合には、支柱のバランスが悪くなり不安定になる傾向にあった。
【先行技術文献】
【特許文献】
【０００５】
【特許文献１】特許第３６９４７２３号公報
【特許文献２】特開２０１１−１２２３１５号公報
【特許文献３】特開平１１−２４１３２２号公報
【発明の概要】
【発明が解決しようとする課題】
【０００６】
本発明は、このような事情のもとで考え出されたものであって、起立する支柱に比較的大きいサイズのサインボードを安定的に取り付けるのに適したサインボード取付具を提供することを主たる課題とする。
【課題を解決するための手段】
【０００７】
上記の課題を解決するため、本発明では、次の技術的手段を講じている。
【０００８】
本発明の第１の側面によって提供されるサインボード取付具は、サインボードを起立する支柱構造体に取り付けるためのサインボード取付具であって、上記サインボードを支持する支持体と、上記支持体を上記支柱構造体に係合支持させるための係合手段と、を備え、上記係合手段は、上記支持体および上記支柱構造体のうち、いずれか一方に設けられた突起と、他方に設けられた凹部と、を含み、上記突起および上記凹部は互いに嵌合可能である。
【０００９】
好ましい実施の形態においては、上記突起および上記凹部は、上下方向にスライド可能に嵌合する。
【００１０】
好ましい実施の形態においては、上記支持体に上記凹部が設けられており、上記支柱構造体に上記突起が設けられている。
【００１１】
好ましい実施の形態においては、上記支柱構造体は、床面に載置されるベースと、当該床面から起立する支柱本体と、当該支柱本体に連結されるベルト収納ヘッドとを含んで構成されたベルトパーティションスタンドであり、上記突起は、上記ベルト収納ヘッドの外周に設けられたベルトエンド受け部により構成されており、横断面略Ｔ字状である。
【００１２】
好ましい実施の形態においては、上記突起を有する係合部材を備え、上記係合部材は、上記支柱構造体に着脱可能に取り付けられる。
【００１３】
本発明の第２の側面によって提供されるサインボード取付セットは、本発明の第１の側面に係るサインボード取付具と、上記支持体に支持されるサインボードと、を備える。
【００１４】
好ましい実施の形態においては、上記サインボードは、プラスチックダンボール製の板材により構成される。
【００１５】
好ましい実施の形態においては、上記サインボードの周縁の少なくとも一部に装着されるチャンネル部材を備え、上記支持体は、上記チャンネル部材が嵌入可能とされた上下に延びる凹溝を有する。
【００１６】
本発明のその他の特徴および利点は、添付図面を参照して以下に行う詳細な説明によって、より明らかとなろう。
【図面の簡単な説明】
【００１７】
【図１】本発明に係るサインボード取付具を備えて構成されたサインボード取付セットの一例を示す斜視図である。
【図２】本発明に係るサインボード取付具が用いられるベルトパーティションスタンドの一例を示す斜視図である。
【図３】図１に示すサインボード取付セットの部分拡大図である。
【図４】図３の分解斜視図である。
【図５】図３のＶ−Ｖ線に沿う部分拡大断面図である。
【図６】サインボードの一例を示す斜視図である。
【図７】図１に示すサインボード取付具の変形例を示す部分断面図である。
【図８】図７に示したサインボード取付具における支持体を説明するための斜視図である。
【図９】図１に示すサインボード取付具の他の変形例を示す部分断面図である。
【図１０】図９に示したサインボード取付具における支持体を説明するための斜視図である。
【図１１】本発明に係るサインボード取付具を備えて構成されたサインボード取付セットの他の例を示す部分拡大斜視図である。
【図１２】図１１の分解斜視図である。
【図１３】図１１のＸＩＩＩ−ＸＩＩＩ線に沿う部分拡大断面図である。
【図１４】本発明に係るサインボード取付具を備えて構成されたサインボード取付セットのさらに他の例を示す斜視図である。
【図１５】図１４に示すサインボード取付セットの部分拡大分解斜視図である。
【図１６】図１４のＸＶＩ−ＸＶＩ線に沿う部分拡大断面図である。
【図１７】図１４に示したサインボード取付セットの変形例を示す斜視図である。
【図１８】図１４に示したサインボード取付セットの他の変形例を示す斜視図である。
【発明を実施するための形態】
【００１８】
以下、本発明の好ましい実施の形態について、図面を参照して具体的に説明する。
【００１９】
図１は、本発明に係るサインボード取付具を備えて構成されたサインボード取付セットの一例を示す。本実施形態のサインボード取付セットＢ１は、サインボード取付具Ａ１と、サインボード２０とを備え、支柱構造体としてのベルトパーティションスタンド１０に取り付けて使用するものである。図２は、ベルトパーティションスタンド１０の一例を示す。
【００２０】
図２に示すように、本実施形態のベルトパーティションスタンド１０は、ベース１１と、このベース１１から起立する支柱１２と、支柱１２に連結されるベルト収納ヘッド１３と、パーティションベルト１４と、を備えている。
【００２１】
ベース１１は、床面に載置される部材であり、平面視略円形の板状とされている。支柱１２は、円柱状に形成されている。図示説明は省略するが、支柱１２は、ベース１１に対して、たとえばねじを用いた締結によって着脱可能に連結されている。ベース１１には、一定幅の切欠き１１１が形成されている。この切欠き１１１の幅寸法は、支柱１２の外径よりも少し大とされている。複数のベルトパーティションスタンド１０を収納する際には、支柱１２が別のベルトパーティションスタンド１０の切欠き１１１に嵌り込むようにすると、収納スペースを縮小することができる。
【００２２】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、図示説明は省略するが、ベルト収納ヘッド１３は、支柱１２に対して、たとえばねじを用いた締結によって着脱可能に連結されている。
【００２３】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面略Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２４】
ベルト収納ヘッド１３の外面には、複数のベルトエンド受け部１３２が設けられている。これらベルトエンド受け部１３２は、上記ベルト導出部１３１に対して周方向に９０°ずつずれた３箇所に位置している。各ベルトエンド受け部１３２は、軸方向に沿って一定長さ延びるようにして横断面略Ｔ字状に形成されており、ベルトエンド１４１に設けられた溝に嵌合可能となっている。ベルトパーティションスタンド１０の使用時には、パーティションベルト１４を繰り出すとともに、当該パーティションベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２５】
図１、図３、図４に示すように、サインボード取付具Ａ１は、ベルトパーティションスタンド１０にサインボード２０を取り付ける際に用いられるものである。サインボード取付具Ａ１は、支持体３０と、係合手段４０と、を備えている。
【００２６】
支持体３０は、基部３１と、係合溝３２と、一対の支持壁３３，３４と、を有する。基部３１は、一定方向（図中上下方向）に延びるブロック状とされている。係合溝３２は、基部３１が延びる方向（図中上下方向）に沿って形成されている。図５に示すように、係合溝３２は、横断面略Ｔ字状とされており、ベルトパーティションスタンド１０のベルトエンド受け部１３２が嵌合可能となっている。係合溝３２は、基部３１の下端から上端付近に至る範囲に形成されている。係合溝３２は、基部３１の下端側において開放する一方、上端側が閉じている。
【００２７】
一対の支持壁３３，３４は、基部３１を挟んで係合溝３２とは反対側に設けられている。図４、図５に示すように、これら支持壁３３，３４は、垂直方向に略沿う板状であり、水平方向において互いに対向している。支持壁３３には、各々が円錐状の一対の座ぐり穴３３１および一対の貫通孔３３２が上下に離間して形成されており、支持壁３４には、各々が横断面六角形状の一対の座ぐり穴３４１および一対の貫通孔３４２が上下に離間して形成されている。また、一対の支持壁３３，３４と基部３１とで囲まれた部分が凹溝３５とされている。本実施形態において、支持体３０は、たとえば所定の強度を有する合成樹脂により一体形成されている。
【００２８】
係合手段４０は、支持体３０をベルトパーティションスタンド１０（支柱構造体）に係合支持させるためのものである。本実施形態において、係合手段４０は、支持体３０に形成された係合溝３２と、ベルトパーティションスタンド１０のベルト収納ヘッド１３に形成されたベルトエンド受け部１３２と、を含んで構成される。図４、図５から理解されるように、ベルトエンド受け部１３２および係合溝３２は、上下方向にスライド可能に嵌合する。係合溝３２は、本発明で言う凹部に相当する。また、ベルトエンド受け部１３２は、本発明で言う突起に相当する。
【００２９】
図６に示すように、サインボード２０は、平板状であり、略長矩形状とされている。サインボード２０は、第１面２０ａと、第１面２０ａの反対を向く第２面２０ｂとを有する。本実施形態のサインボード２０は、たとえばプラスチックダンボール、合成樹脂、あるいは発泡樹脂からなる板材により構成されており、好ましくはプラスチックダンボール製である。第１面２０ａおよび第２面２０ｂの少なくとも一方には、案内表示や広告などが描画されている。なお、第１面２０ａ（第２面２０ｂ）に案内表示等を直接描画せずに、案内表示等が印刷されたシール等を第１面２０ａ（第２面２０ｂ）に貼ってもよい。
【００３０】
サインボード２０の周縁には、チャンネル部材２１が装着されている。チャンネル部材２１は、断面コの字状であり、たとえば接着剤によりサインボード２０に固定される。本実施形態において、チャンネル部材２１は、サインボード２０の４隅を除いた４辺の各々に装着されている。
【００３１】
サインボード２０をベルトパーティションスタンド１０に取り付ける場合、まず、サインボード２０に支持体３０を取り付ける。ここで、図６においてサインボード２０の上下方向（短手方向）に沿う辺に装着されたチャンネル部材２１を、支持体３０の凹溝３５に嵌入する。凹溝３５は、基部３１寄りの部分がチャンネル部材２１を嵌入可能となるように予めチャンネル部材２１に対応する寸法とされている（図５参照）。また、凹溝３５のうち基部３１から離れた部分においては、一対の支持壁３３，３４の間隔が小さくされており、一対の支持壁３３，３４の間の寸法がサインボード２０の厚さに対応する寸法とされている。
【００３２】
次に、たとえば皿小ねじなどのねじ軸部材３６を、支持壁３３，３４に形成された貫通孔３３２，３４２、およびサインボード２０に形成された貫通孔２０１に連通させつつ、袋ナットなどのナット部材３７に締め付ける（図４参照）。このようにして、サインボード２０に支持体３０が取り付けられる。なお、本実施形態においては、図１にも表れているように、サインボード２０の長手方向（水平方向）の両端における上端寄りの部位に、一対の支持体３０が取り付けられている。
【００３３】
次いで、サインボード２０に取り付けられた支持体３０を、ベルトパーティションスタンド１０（支柱構造体）に取り付ける。ベルトパーティションスタンド１０への支持体３０の取り付けは、支持体３０の係合溝３２にベルトパーティションスタンド１０のベルトエンド受け部１３２が嵌まるように、当該支持体３０を下方にスライドさせることにより行う。これにより、図１に示すように、サインボード２０は、一対の支持体３０を介して一対のベルトパーティションスタンド１０によって支持される。ここで、サインボード２０は、水平方向を長手方向とし、かつ垂直方向を短手方向とする姿勢で支持されている。
【００３４】
次に、本実施形態の作用について説明する。
【００３５】
本実施形態のサインボード取付具Ａ１は、支持体３０および係合手段４０を備える。係合手段４０は、ベルトエンド受け部１３２（突起）と係合溝３２（凹部）とを含み、これらベルトエンド受け部１３２および係合溝３２は上下方向にスライド可能に嵌合する。このような構成によれば、ベルトエンド受け部１３２が設けられたベルトパーティションスタンド１０に対し、支持体３０を容易に支持させることができる。そして、サインボード２０は、一対の支持体３０（サインボード取付具Ａ１）を介して一対のベルトパーティションスタンド１０（支柱構造体）に支持させることができる。したがって、サインボード２０が比較的大きいサイズであっても、当該サインボード２０を一対のベルトパーティションスタンド１０により安定して支持することができる。
【００３６】
本実施形態において、係合手段４０を構成する突起として、ベルトパーティションスタンド１０に設けられたベルトエンド受け部１３２が利用される。ベルトエンド受け部１３２は、一般的に、ベルトパーティションスタンド１０においてベルト収納ヘッド１３の外周に設けられるものである。このように、係合手段４０の構成要素である突起について既存のベルトエンド受け部１３２（ベルトパーティションスタンド１０）を利用する構成によれば、支持体３０の汎用性が高められるとともに、サインボード取付具Ａ１（サインボード取付セットＢ１）の全体構造の簡素化を図ることできる。
【００３７】
サインボード２０は、たとえばプラスチックダンボール製の板材により構成される。このような構成によれば、サインボード２０の軽量化を図ることが可能であり、サインボード２０のサイズの大型化への対応が容易である。
【００３８】
サインボード２０の周縁の適所には、チャンネル部材２１が装着されている。また、支持体３０は、上下に延びる凹溝３５を有しており、サインボード２０が支持体３０に支持される状態において、凹溝３５にチャンネル部材２１が嵌入されている。このような構成によれば、サインボード２０の周縁部の剛性を高めることができる。また、一定長さを有する凹溝３５にチャンネル部材２１が嵌入された構成によれば、サインボード２０取付部分の強度を高めることが可能となる。
【００３９】
図７〜図１０は、上記のサインボード取付具Ａ１の変形例を示している。図７に示すサインボード取付具Ａ１'は、スペーサ５０を追加的に備える点において上述のサインボード取付具Ａ１と異なる。スペーサ５０は、支持体３０における一対の支持壁３３，３４の間に配置されるものであり、板状である。図７、図８に示すように、スペーサ５０には、ねじ軸部材３６が挿通させられる一対の貫通孔５１と、チャンネル部材２１に対応する窪み５２とが形成されている。たとえば、サインボード２０としてその厚さが相対的に小さいものが用いられる場合、スペーサ５０を使用することにより、サインボード２０を適切に支持することができる。その他、上記したサインボード取付具Ａ１およびサインボード取付セットＢ１と同様の作用効果を奏することができる。
【００４０】
図９に示すサインボード取付具Ａ１"は、支持体３０が互いに分離可能な第１部材３０Ａおよび第２部材３０Ｂにより構成される点において上述のサインボード取付具Ａ１と大きく異なる。第１部材３０Ａは、基部３１、係合溝３２、および支持壁３３を有しており、これらは上記サインボード取付具Ａ１における基部３１、係合溝３２、および支持壁３３と実質的に同一である。図１０に示すように、第２部材３０Ｂは、上記サインボード取付具Ａ１における支持壁３４に対応する部分であり、板状である。第２部材３０Ｂには、各々が横断面六角形状の一対の座ぐり穴３０１および一対の貫通孔３０２が上下に離間して形成されている。図９に示すように、サインボード取付具Ａ１”の使用時には、支持壁３３（第１部材３０Ａ）と第２部材３０Ｂとの間にサインボード２０を挟みつつ、ねじ軸部材３６をナット部材に締め付ける。このような構成によれば、サインボード２０の厚さ寸法が種々異なる場合においても、サインボード２０を支持体３０（第１部材３０Ａおよび第２部材３０Ｂ）により適切に挟み持つことが可能である。したがって、異なる厚さ寸法のサインボード２０への対応が容易である。その他、上記したサインボード取付具Ａ１およびサインボード取付セットＢ１と同様の作用効果を奏することができる。
【００４１】
図１１〜図１３は、本発明に係るサインボード取付具およびサインボード取付セットの他の例を示している。これらの図においては、上記実施形態と同一または類似の要素には、同一の符号を付しており、適宜説明を省略する。
【００４２】
図１１に示すサインボード取付セットＢ２は、サインボード取付具Ａ２と、サインボード２０と、を備え、支柱構造体としてのベルトパーティションスタンド１０に取り付けて使用するものである。本実施形態においては、ベルトパーティションスタンド１０およびサインボード取付具Ａ２の具体的構成が上記実施形態（サインボード取付具Ａ１およびサインボード取付セットＢ１）の対応する要素と異なっている。ただし、サインボード２０および支持体３０の構成については、上記実施形態と実質的に同一である。
【００４３】
本実施形態では、ベルト収納ヘッド１３は、ベルトエンド受け部１３２を具備しておらず、これに代えて上下に離間する一対の係止溝１３５を備える。これら係止溝１３５は、ベルト収納ヘッド１３の周方向におけるほぼ全周にわたって形成されている。パーティションベルトの先端に設けられたベルトエンド（いずれも図示せず）は、一対の係止溝１３５を利用してベルト収納ヘッド１３の外周部のいずれかの部位に係止することが可能となっている。
【００４４】
本実施形態においては、上記したベルトエンド受け部１３２を具備しないことに対応させて、係合部材６０を追加的に備えている。図１２に示すように、係合部材６０は、基部６１と、突起６２と、一対の貫通孔６３と、を有する。基部６１は、一定方向（図中上下方向）に延びるブロック状とされている。突起６２は、基部６１につながり、上下方向に所定長さ延びている。突起６２は、支持体３０の係合溝３２に嵌合可能となっている。一対の貫通孔６３は、基部６１において上下に離間して形成されている。一対の貫通孔６３の離間寸法は、ベルト収納ヘッド１３における一対の係止溝１３５の離間寸法に対応している。本実施形態において、係合部材６０は、たとえば所定の強度を有する合成樹脂により一体形成されている。
【００４５】
係合部材６０は、ベルト収納ヘッド１３に対して着脱可能に取り付けられる。ベルト収納ヘッド１３への係合部材６０の取り付けは、たとえば結束バンド７０を用いて行う。図１２に示した一対の結束バンド７０を、一対の貫通孔６３に通し、かつ一対の係止溝１３５に位置合わせして締め付ける。このようにして、係合部材６０がベルト収納ヘッド１３に取り付けられる（図１１参照）。
【００４６】
本実施形態のサインボード取付具Ａ２は、支持体３０および係合手段４０を備える。係合手段４０は、係合部材６０に設けられた突起６２と支持体３０に設けられた係合溝３２（凹部）とを含み、これら突起６２および係合溝３２は上下方向にスライド可能に嵌合する。このような構成によれば、ベルトパーティションスタンド１０に対し、支持体３０を容易に支持させることができる。そして、サインボード２０は、一対の支持体３０（サインボード取付具Ａ２）を介して一対のベルトパーティションスタンド１０（支柱構造体）に支持させることができる。したがって、サインボード２０が比較的大きいサイズであっても、当該サインボード２０を一対のベルトパーティションスタンド１０により安定して支持することができる。
【００４７】
サインボード２０は、たとえばプラスチックダンボール製の板材により構成される。このような構成によれば、サインボード２０の軽量化を図ることが可能であり、サインボード２０のサイズの大型化への対応が容易である。
【００４８】
サインボード２０の周縁の適所には、チャンネル部材２１が装着されている。また、支持体３０は、上下に延びる凹溝３５を有しており、サインボード２０が支持体３０に支持される状態において、凹溝３５にチャンネル部材２１が嵌入されている。このような構成によれば、サインボード２０の周縁部の剛性を高めることができる。また、一定長さを有する凹溝３５にチャンネル部材２１が嵌入された構成によれば、サインボード２０取付部分の強度を高めることが可能となる。
【００４９】
図１４〜図１６は、本発明に係るサインボード取付具およびサインボード取付セットのさらに他の例を示している。これらの図においては、上記実施形態と同一または類似の要素には、同一の符号を付しており、適宜説明を省略する。
【００５０】
図１４、図１５に示すサインボード取付セットＢ３は、サインボード取付具Ａ３と、サインボード２０と、を備え、支柱構造体としてのベルトパーティションスタンド１０に取り付けて使用するものである。本実施形態においては、サインボード取付具Ａ３およびサインボード２０の具体的構成が上記実施形態（サインボード取付具Ａ１およびサインボード取付セットＢ１）の対応する要素と異なっている。ただし、ベルトパーティションスタンド１０の構成については、上記実施形態のサインボード取付セットＢ１における場合と実質的に同一である。
【００５１】
本実施形態においては、サインボード取付具Ａ３は、支持体３０’と、係合手段４０と、を備えている。支持体３０’は、上記サインボード取付具Ａ１における支持体３０の構成と異なっており、図１５、図１６に示すように、基部３１と、係合溝３２と、垂直プレート部３８と、を有する。
【００５２】
基部３１は、一定方向（図中上下方向）に延びるブロック状とされている。係合溝３２は、基部３１が延びる方向（図中上下方向）に沿って形成されている。図１６に示すように、係合溝３２は、横断面略Ｔ字状とされており、ベルトパーティションスタンド１０のベルトエンド受け部１３２が嵌合可能となっている。係合溝３２は、基部３１の下端から上端付近に至る範囲に形成されている。係合溝３２は、基部３１の下端側において開放する一方、上端側が閉じている。
【００５３】
垂直プレート部３８は、基部３１を挟んで係合溝３２とは反対側に設けられている。図１５、図１６に示すように、垂直プレート部３８は、垂直方向に略沿う板状であり、外側を向く面３８ａがフラットな平面とされている。本実施形態において、支持体３０’は、たとえば所定の強度を有する合成樹脂により一体形成されている。
【００５４】
係合手段４０は、支持体３０’をベルトパーティションスタンド１０（支柱構造体）に係合支持させるためのものである。本実施形態において、係合手段４０は、支持体３０’に形成された係合溝３２と、ベルトパーティションスタンド１０のベルト収納ヘッド１３に形成されたベルトエンド受け部１３２と、を含んで構成される。図１５、図１６から理解されるように、ベルトエンド受け部１３２および係合溝３２は、上下方向にスライド可能に嵌合する。係合溝３２は、本発明で言う凹部に相当する。また、ベルトエンド受け部１３２は、本発明で言う突起に相当する。
【００５５】
図１４、図１５に示すように、サインボード２０は、平板状であり、略正方形状とされている。サインボード２０は、第１面２０ａと、第１面２０ａの反対を向く第２面２０ｂとを有する。本実施形態のサインボード２０は、たとえばプラスチックダンボール、合成樹脂、あるいは発泡樹脂からなる板材により構成されており、好ましくはプラスチックダンボール製である。本実施形態では、第１面２０ａには案内表示や広告などが描画されている。なお、第１面２０ａに案内表示等を直接描画せずに、案内表示等が印刷されたシール等を第１面２０ａに貼ってもよい。
【００５６】
サインボード２０をベルトパーティションスタンド１０に取り付ける際、まず、サインボード２０に支持体３０’を取り付ける。サインボード２０への支持体３０'の取り付けは、支持体３０’における各垂直プレート部３８の外側を向く面３８ａを、対向するサインボード２０における第２面２０ｂに対して、面ファスナー、接着剤や粘着シート等の適宜手段により固定する。
【００５７】
次いで、サインボード２０に取り付けられた支持体３０’を、ベルトパーティションスタンド１０（支柱構造体）に取り付ける。ベルトパーティションスタンド１０への支持体３０’の取り付けは、支持体３０’の係合溝３２にベルトパーティションスタンド１０のベルトエンド受け部１３２が嵌まるように、当該支持体３０’を下方にスライドさせることにより行う。これにより、図１４に示すように、サインボード２０は、支持体３０’を介してベルトパーティションスタンド１０によって支持される。ここで、サインボード２０は、垂直平面に沿う姿勢で支持されている。
【００５８】
本実施形態のサインボード取付具Ａ３は、支持体３０’および係合手段４０を備える。係合手段４０は、ベルトエンド受け部１３２（突起）と係合溝３２（凹部）とを含み、これらベルトエンド受け部１３２および係合溝３２は上下方向にスライド可能に嵌合する。このような構成によれば、ベルトエンド受け部１３２が設けられたベルトパーティションスタンド１０に対し、支持体３０’を容易に支持させることができる。そして、サインボード２０は、支持体３０’（サインボード取付具Ａ３）を介してベルトパーティションスタンド１０（支柱構造体）に支持させることができる。したがって、サインボード２０が比較的大きいサイズであっても、当該サインボード２０をベルトパーティションスタンド１０により安定して支持することができる。
【００５９】
本実施形態において、係合手段４０を構成する突起として、ベルトパーティションスタンド１０に設けられたベルトエンド受け部１３２が利用される。ベルトエンド受け部１３２は、一般的に、ベルトパーティションスタンド１０においてベルト収納ヘッド１３の外周に設けられるものである。このように、係合手段４０の構成要素である突起について既存のベルトエンド受け部１３２（ベルトパーティションスタンド１０）を利用する構成によれば、支持体３０’の汎用性が高められるとともに、サインボード取付具Ａ３（サインボード取付セットＢ３）の全体構造の簡素化を図ることできる。
【００６０】
サインボード２０は、たとえばプラスチックダンボール製の板材により構成される。このような構成によれば、サインボード２０の軽量化を図ることが可能であり、サインボード２０のサイズの大型化への対応が容易である。
【００６１】
図１７、図１８は、上記のサインボード取付セットＢ３の変形例を示している。図１７に示すサインボード取付セットＢ３’は、支持体３０'を２つ備える点において上述のサインボード取付セットＢ３と異なる。２つの支持体３０'は、ベルト収納ヘッド１３の周方向において互いに隣り合う２つのベルトエンド受け部１３２を利用して、ベルトパーティションスタンド１０に支持される。
【００６２】
図１７に示した例では、サインボード２０は、各々が略矩形状の２枚の平板部２０２が略直角をなすようにつながる形態とされている。各平板部２０２は、第１面２０２ａと、第１面２０２ａの反対を向く第２面２０２ｂとを有する。本実施形態のサインボード２０は、たとえばプラスチックダンボール、合成樹脂、あるいは発泡樹脂からなる板材により構成されており、好ましくはプラスチックダンボール製である。このような構成のサインボード２０は、たとえば長矩形状の板材の適所（１箇所）を折り曲げることにより形成することができる。本実施形態では、各平板部２０２の第１面２０２ａに案内表示や広告などが描画されている。なお、第１面２０２ａに案内表示等を直接描画せずに、案内表示等が印刷されたシール等を第１面２０２ａに貼ってもよい。
【００６３】
図１７に示されたサインボード取付セットＢ３’においても、ベルトエンド受け部１３２が設けられたベルトパーティションスタンド１０に対し、各支持体３０’を容易に支持させることができる。そして、サインボード２０は、２つの支持体３０（サインボード取付具Ａ３）を介してベルトパーティションスタンド１０（支柱構造体）に支持させることができる。したがって、サインボード２０が比較的大きいサイズであっても、当該サインボード２０をベルトパーティションスタンド１０により安定して支持することができる。その他、上記したサインボード取付具Ａ３およびサインボード取付セットＢ３と同様の作用効果を奏することができる。
【００６４】
図１８に示すサインボード取付セットＢ３”は、支持体３０'を３つ備える点において上述のサインボード取付セットＢ３と異なる。３つの支持体３０'は、ベルト収納ヘッド１３に設けられた３つのベルトエンド受け部１３２を利用して、ベルトパーティションスタンド１０に支持される。
【００６５】
図１８に示した例では、サインボード２０は、各々が略矩形状の３枚の平板部２０２が互いに略直角をなすようにつながる形態とされている。各平板部２０２は、第１面２０２ａと、第１面２０２ａの反対を向く第２面２０２ｂとを有する。本実施形態のサインボード２０は、たとえばプラスチックダンボール、合成樹脂、あるいは発泡樹脂からなる板材により構成されており、好ましくはプラスチックダンボール製である。このような構成のサインボード２０は、たとえば長矩形状の板材の適所（２箇所）を折り曲げることにより形成することができる。本実施形態では、各平板部２０２の第１面２０２ａに案内表示や広告などが描画されている。なお、第１面２０２ａに案内表示等を直接描画せずに、案内表示等が印刷されたシール等を第１面２０２ａに貼ってもよい。
【００６６】
図１８に示されたサインボード取付セットＢ３”においても、ベルトエンド受け部１３２が設けられたベルトパーティションスタンド１０に対し、各支持体３０’を容易に支持させることができる。そして、サインボード２０は、３つの支持体３０（サインボード取付具Ａ３）を介してベルトパーティションスタンド１０（支柱構造体）に支持させることができる。したがって、サインボード２０が比較的大きいサイズであっても、当該サインボード２０をベルトパーティションスタンド１０により安定して支持することができる。その他、上記したサインボード取付具Ａ３およびサインボード取付セットＢ３と同様の作用効果を奏することができる。
【００６７】
以上、本発明の具体的な実施形態を説明したが、本発明はこれに限定されるものではなく、発明の思想から逸脱しない範囲内で種々な変更が可能である。本発明に係るサインボード取付具およびサインボード取付セットの各部の具体的な構成は、種々に設計変更自在である。
【００６８】
上記実施形態においては、支持体３０がベルトパーティションスタンド１０に取り付けられる場合について説明したが、上記の係合部材６０を用いることにより、支持体３０をベルトパーティションスタンド１０以外の様々な支柱構造体に取り付けることが可能である。
【００６９】
また、支持体３０によるサインボード２０の支持構造も上記実施形態の態様に限定されるものではない。たとえば、支持体として金属プレートを具備するものを用い、当該金属プレートを接着等の手段によりサインボードに取り付ける構成としてもよい。
【符号の説明】
【００７０】
Ａ１，Ａ１’，Ａ１”，Ａ２，Ａ３    サインボード取付具
Ｂ１，Ｂ２，Ｂ３，Ｂ３'，Ｂ３"    サインボード取付セット
１０        ベルトパーティションスタンド
１１        ベース
１１１      切欠き
１２        支柱
１３        ベルト収納ヘッド
１３１      ベルト導出部
１３２      ベルトエンド受け部（突起）
１３５      係止溝
１４        パーティションベルト
１４１      ベルトエンド
２０        サインボード
２０ａ      第１面
２０ｂ      第２面
２０１      貫通孔
２０２      平板部
２０２ａ    第１面
２０２ｂ    第２面
２１        チャンネル部材
３０        支持体
３０'      支持体
３０Ａ      第１部材
３０Ｂ      第２部材
３０１      座ぐり穴
３０２      貫通孔
３１        基部
３２        係合溝（凹部）
３３        支持壁
３３１      座ぐり穴
３３２      貫通孔
３４        支持壁
３４１      座ぐり穴
３４２      貫通孔
３５        凹溝
３６        ねじ軸部材
３７        ナット部材
３８        垂直プレート部
４０        係合手段
５０        スペーサ
５１        貫通孔
５２        窪み
６０        係合部材
６１        基部
６２        突起
６３        貫通孔
７０        結束バンド
【図１】
2018091120.tif 000003
【図２】
2018091120.tif 000004
【図３】
2018091120.tif 000005
【図４】
2018091120.tif 000006
【図５】
2018091120.tif 000007
【図６】
2018091120.tif 000008
【図７】
2018091120.tif 000009
【図８】
2018091120.tif 000010
【図９】
2018091120.tif 000011
【図１０】
2018091120.tif 000012
【図１１】
2018091120.tif 000013
【図１２】
2018091120.tif 000014
【図１３】
2018091120.tif 000015
【図１４】
2018091120.tif 000016
【図１５】
2018091120.tif 000017
【図１６】
2018091120.tif 000018
【図１７】
2018091120.tif 000019
【図１８】
2018091120.tif 000020